(57)【要約】【課題】パノラマ画像を生成する際の超音波プローブの移動操作を支援できる超音波診断装置、超音波診断方法及びプログラムを提供する。【解決手段】超音波診断装置は、超音波プローブによって得られた受信信号から超音波画像を生成する超音波画像生成部と、超音波プローブを移動させながら連続的に取得された複数の前記超音波画像をつなぎ合わせてパノラマ画像を生成するパノラマ画像生成部と、超音波画像又はパノラマ画像とともに、画像診断に必要な情報を示すオブジェクトを表示部に表示させる表示処理部と、超音波プローブの移動速度に関する情報を取得する取得部と、超音波プローブの移動速度に関する情報に応じて、オブジェクトのうちの少なくとも一つの特定オブジェクトの表示属性を変更する表示属性設定部と、を備える。【選択図】図３
2019217018.tif 000002
【特許請求の範囲】
【請求項１】
被検体に向けて超音波を送信するように超音波プローブを駆動するとともに、被検体内で反射された反射波に基づく受信信号を前記超音波プローブから受信して、超音波画像を生成し、表示する超音波診断装置であって、
前記超音波プローブによって得られた受信信号から超音波画像を生成する超音波画像生成部と、
前記超音波プローブを移動させながら連続的に取得された複数の前記超音波画像をつなぎ合わせてパノラマ画像を生成するパノラマ画像生成部と、
前記超音波画像又は前記パノラマ画像とともに、画像診断に必要な情報を示すオブジェクトを表示部に表示させる表示処理部と、
前記超音波プローブの移動速度に関する情報を取得する取得部と、
前記超音波プローブの移動速度に関する情報に応じて、前記オブジェクトのうちの少なくとも一つの表示属性を変更する表示属性設定部と、を備える超音波診断装置。
【請求項２】
前記表示属性設定部は、所定の最適速度に対する前記超音波プローブの移動速度の大小に基づいて、前記表示属性を変更する、請求項１に記載の超音波診断装置。
【請求項３】
前記表示属性設定部は、前記超音波プローブの移動速度と前記最適速度の乖離幅に基づいて、前記表示属性を変更する、請求項２に記載の超音波診断装置。
【請求項４】
前記表示属性は、前記オブジェクトの表示色、表示太さ、表示状況及び線種の少なくとも一つを含む、請求項１から３のいずれか一項に記載の超音波診断装置。
【請求項５】
前記表示属性設定部は、前記超音波プローブの移動速度に応じて、前記表示色及び前記表示太さの少なくとも一方が段階的に設定された属性テーブルを参照して、前記表示属性を変更する、請求項４に記載の超音波診断装置。
【請求項６】
前記オブジェクトは、前記パノラマ画像を生成する際の対象領域を示すＲＯＩ枠である、請求項１から５のいずれか一項に記載の超音波診断装置。
【請求項７】
前記表示属性設定部は、合成対象となる２つの画像間の相関に基づいて、前記表示属性を変更する、請求項１から６のいずれか一項に記載の超音波診断装置。
【請求項８】
被検体に向けて超音波を送信するように超音波プローブを駆動するとともに、被検体内で反射された反射波に基づく受信信号を前記超音波プローブから受信して、超音波画像を生成し、表示する超音波診断方法であって、
前記超音波プローブによって得られた受信信号から超音波画像を生成する工程と、
前記超音波プローブを移動させながら連続的に取得された複数の前記超音波画像をつなぎ合わせてパノラマ画像を生成する工程と、
前記超音波画像又は前記パノラマ画像とともに、画像診断に必要な情報を示すオブジェクトを表示部に表示させる工程と、
前記超音波プローブの移動速度に関する情報を取得する工程と、
前記超音波プローブの移動速度に関する情報に応じて、前記オブジェクトのうちの少なくとも一つの表示属性を変更する工程と、を含む超音波診断方法。
【請求項９】
被検体に向けて超音波を送信するように超音波プローブを駆動するとともに、被検体内で反射された反射波に基づく受信信号を前記超音波プローブから受信して、超音波画像を生成し、表示する超音波診断装置のコンピューターに、
前記超音波プローブによって得られた受信信号から超音波画像を生成する処理と、
前記超音波プローブを移動させながら連続的に取得された複数の前記超音波画像をつなぎ合わせてパノラマ画像を生成する処理と、
前記超音波画像又は前記パノラマ画像とともに、画像診断に必要な情報を示すオブジェクトを表示部に表示させる処理と、
前記超音波プローブの移動速度に関する情報を取得する処理と、
前記超音波プローブの移動速度に関する情報に応じて、前記オブジェクトのうちの少なくとも一つの表示属性を変更する処理と、を実行させるためのプログラム。
【発明の詳細な説明】
【技術分野】
【０００１】
本発明は、超音波診断装置、超音波診断方法及びプログラムに関し、特に、複数の超音波画像をつなぎ合わせてパノラマ画像を生成する際に有用な技術に関する。
【背景技術】
【０００２】
従来、医用画像診断装置の一つとして、超音波を被検体に向けて送信し、その反射波を受信して受信信号に所定の信号処理を行うことにより、被検体内部の形状、性状又は動態を超音波画像として可視化する超音波診断装置が知られている。超音波診断装置は、超音波プローブを体表に当てる又は体内に挿入するという簡単な操作で超音波画像を取得することができるので、安全であり、被検体にかかる負担も小さい。
【０００３】
このような超音波診断装置には、被検体の診断部位に沿って超音波プローブを移動させながら超音波を送受信することで、連続する超音波画像（Ｂモード画像）を取得し、取得した超音波画像群を結合して１枚のパノラマ画像として表示するパノラマモードを備えたものもある。
超音波プローブを固定した状態で超音波画像を取得して表示する場合、観察できる範囲が狭く、被検体内のどこを見ているのかが分かりにくいため、画像の客観性に欠けるという課題がある。これに対して、パノラマモードは、診断部位を広範囲にわたって描出することができるため、診断部位の全体像の観察や診断が容易となる。
【０００４】
ところで、パノラマモードにおいては、隣接する画像間における重複や相関を求めて超音波画像群を結合するが、超音波画像群を取得するためのプローブ移動操作が速すぎると重複や相関が少なくなり、精度のよいパノラマ画像を生成できない虞がある。また、プローブ移動操作が遅すぎると、重複が多くなり、パノラマ画像の生成に不要な画像を多く取得することになるため、非効率的である。このため、パノラマモードでは、適正な速度で超音波プローブを移動させ、過不足なく超音波画像群を取得することが重要である。
【０００５】
パノラマ画像を生成する際のプローブ移動操作を支援する技術としては、例えば、特許文献１がある。特許文献１には、パノラマ画像を取得する際に、超音波プローブの移動速度が適正になるように、案内表示をすることが開示されている。
【先行技術文献】
【特許文献】
【０００６】
【特許文献１】特開２０１４−１００２７０号公報
【発明の概要】
【発明が解決しようとする課題】
【０００７】
特許文献１に開示の手法では、パノラマ画像とともに表示されている横棒状の図形がパノラマ撮影開始時点から一定の速度で伸びることで、あるいは画面上に表示する数値表示の増加により、プローブの移動操作を支援している。ユーザーは、横棒上の図形又は数値表示から撮影の進捗度を確認することができ、撮影の進捗度に合わせてプローブを移動させることができる。しかしながら、特許文献１の技術においては、ユーザーが撮影の進捗度を目視で確認し、更に、撮影部位全体に対するプローブの移動量を目視で確認し、これら二つの進捗度が一致しているか否かをユーザーが判断する、という煩雑な作業や判断が必要となる。一方、超音波画像の撮影時には、ユーザーは、超音波診断装置で表示される超音波画像を確認しながら撮影を行うため、撮影を行いながら、特許文献1に開示されている手法で進捗度を確認したり、判断することは、困難である。
【０００８】
本発明の目的は、パノラマ画像を生成する際の超音波プローブの移動操作を支援できる超音波診断装置、超音波診断方法及びプログラムを提供することである。
【課題を解決するための手段】
【０００９】
本発明に係る超音波診断装置は、
被検体に向けて超音波を送信するように超音波プローブを駆動するとともに、被検体内で反射された反射波に基づく受信信号を前記超音波プローブから受信して、超音波画像を生成し、表示する超音波診断装置であって、
前記超音波プローブによって得られた受信信号から超音波画像を生成する超音波画像生成部と、
前記超音波プローブを移動させながら連続的に取得された複数の前記超音波画像をつなぎ合わせてパノラマ画像を生成するパノラマ画像生成部と、
前記超音波画像又は前記パノラマ画像とともに、画像診断に必要な情報を示すオブジェクトを表示部に表示させる表示処理部と、
前記超音波プローブの移動速度に関する情報を取得する取得部と
前記超音波プローブの移動速度に関する情報に応じて、前記オブジェクトのうちの少なくとも一つの表示属性を変更する表示属性設定部と、を備えることを特徴とする。
【００１０】
本発明に係る超音波診断方法は、
被検体に向けて超音波を送信するように超音波プローブを駆動するとともに、被検体内で反射された反射波に基づく受信信号を前記超音波プローブから受信して、超音波画像を生成し、表示する超音波診断方法であって、
前記超音波プローブによって得られた受信信号から超音波画像を生成する工程と、
前記超音波プローブを移動させながら連続的に取得された複数の前記超音波画像をつなぎ合わせてパノラマ画像を生成する工程と、
前記超音波画像又は前記パノラマ画像とともに、画像診断に必要な情報を示すオブジェクトを表示部に表示させる工程と、
前記超音波プローブの移動速度に関する情報を取得する工程と、
前記超音波プローブの移動速度に関する情報に応じて、前記オブジェクトのうちの少なくとも一つの表示属性を変更する工程と、を含むことを特徴とする。
【００１１】
本発明に係るプログラムは、
被検体に向けて超音波を送信するように超音波プローブを駆動するとともに、被検体内で反射された反射波に基づく受信信号を前記超音波プローブから受信して、超音波画像を生成し、表示する超音波診断装置のコンピューターに、
前記超音波プローブによって得られた受信信号から超音波画像を生成する処理と、
前記超音波プローブを移動させながら連続的に取得された複数の前記超音波画像をつなぎ合わせてパノラマ画像を生成する処理と、
前記超音波画像又は前記パノラマ画像とともに、画像診断に必要な情報を示すオブジェクトを表示部に表示させる処理と、
前記超音波プローブの移動速度に関する情報を取得する処理と、
前記超音波プローブの移動速度に関する情報に応じて、前記オブジェクトのうちの少なくとも一つの表示属性を変更する処理と、を実行させることを特徴とする。
【発明の効果】
【００１２】
本発明によれば、パノラマ画像を生成する際の超音波プローブの移動操作を支援することができる。
【図面の簡単な説明】
【００１３】
【図１】図１は、実施の形態に係る超音波診断装置の外観を示す図である。
【図２】図２は、超音波プローブの構成を示す図である。
【図３】図３は、超音波診断装置の制御系の主要部を示すブロック図である。
【図４】図４は、表示部に表示される画面の一例を示す図である。
【図５】図５は、属性テーブルの一例を示す図である。
【図６】図６は、パノラマ画像生成処理の一例を示すフローチャートである。
【図７】図７Ａ〜図７Ｃは、パノラマ画像の生成過程の一例を示す図である。
【発明を実施するための形態】
【００１４】
以下、本発明の実施の形態を、図面を参照して詳細に説明する。
【００１５】
図１は、本発明の一実施の形態に係る超音波診断装置Ａの外観を示す図である。図２は、超音波プローブ２の構成を示す図である。図３は、超音波診断装置Ａの制御系の主要部を示すブロック図である。
【００１６】
図１に示すように、超音波診断装置Ａは、超音波診断装置本体１及び超音波プローブ２を備える。超音波診断装置本体１と超音波プローブ２は、ケーブル３を介して接続される。なお、超音波プローブ２は、超音波診断装置本体１と無線通信を介して接続されてもよい。
【００１７】
超音波診断装置Ａは、被検体内の形状、性状又は動態を超音波画像として可視化し、画像診断するために用いられる。超音波診断装置Ａは、診断モードとして、例えば、Ｂモード画像のみを表示させるモード（以下、「Ｂモード」と称する）、超音波プローブ２を移動させながら連続的に取得されたＢモード画像をつなぎ合わせたパノラマ画像を表示させるモード（以下、「パノラマモード」と称する）を、有する。一般に、パノラマ画像は、Ｂモード画像から関心領域（ＲＯＩ：Region of Interest）として設定された高画質部分を切り出してつなぎ合わせて生成される。パノラマモードにおいて、ユーザーは、例えば、超音波プローブ２をスキャン方向（長軸方向）に手動で移動させる。
【００１８】
超音波プローブ２は、被検体に対して超音波を送信するとともに、被検体で反射された超音波エコーを受信し、受信信号に変換して超音波診断装置本体１に送信する。超音波プローブ２には、コンベックスプローブ、リニアプローブ、又はセクタプローブ等の任意の電子スキャン方式のプローブを適用することができる。
【００１９】
図２に示すように、超音波プローブ２は、超音波放射側から順に、音響レンズ２ａ、音響整合層２ｂ、振動子アレイ２ｃ、バッキング材２ｄを有する。なお、音響レンズ２ａの表面（超音波放射面）には、保護層が配置されてもよい。
【００２０】
音響レンズ２ａは、超音波をスライス方向に収束させるレンズであり、例えば、スライス方向における中央部が盛り上がったかまぼこ形状を有する。
音響整合層２ｂは、超音波を効率よく被検体内に進入させるための中間的物質であり、振動子（図示略）と被写体の音響インピーダンスを整合させる。
【００２１】
振動子アレイ２ｃは、スキャン方向に単列又は多列で配置された複数の短冊状の振動子（図示略）により構成される。
バッキング材２ｄは、振動子アレイ２ｃで発生する不要振動を減衰する。
【００２２】
超音波プローブ２によれば、スライス方向に収束する超音波のビームプロファイルが得られる。また、駆動する振動子を切り替えることにより、超音波をスキャン方向に収束させることもできる（いわゆる電子スキャン方式）。
【００２３】
超音波診断装置本体１は、超音波プローブ２からの受信信号を用いて、被検体の内部状態を超音波画像として可視化する。図３に示すように、超音波診断装置本体１は、送信部１１、受信部１２、ＲＯＩ設定部１３、表示処理部１４、表示部１５、操作入力部１６、Ｂモード信号処理部１７、パノラマ画像生成部２０、表示属性設定部３０及び制御部４０等を備える。
【００２４】
送信部１１、受信部１２、ＲＯＩ設定部１３、表示処理部１４、Ｂモード信号処理部１７、パノラマ画像生成部２０及び表示属性設定部３０は、例えば、ＤＳＰ（Digital Signal Processor）、ＡＳＩＣ（Application Specific Integrated Circuit）、ＰＬＤ（Programmable Logic Device）等の、各処理に応じた少なくとも一つの専用ハードウェア（電子回路）で構成される。
【００２５】
制御部４０は、演算／制御装置としてのＣＰＵ（Central Processing Unit）４１、主記憶装置としてのＲＯＭ（Read Only Memory）４３及びＲＡＭ（Random Access Memory）４２等を有する。ＲＯＭ４３には、基本プログラムや基本的な設定データが記憶される。ＣＰＵ４１は、ＲＯＭ４３から処理内容に応じたプログラムを読み出してＲＡＭ４２に展開し、展開したプログラムを実行することにより、超音波診断装置本体１の各機能ブロック（送信部１１、受信部１２、ＲＯＩ設定部１３、表示処理部１４、表示部１５、Ｂモード信号処理部１７、パノラマ画像生成部２０及び表示属性設定部３０）の動作を集中制御する。
【００２６】
本実施の形態では、機能ブロックを構成する各ハードウェアと制御部４０とが協働することにより、各機能ブロックの機能が実現される。なお、制御部４０がプログラムを実行することにより、各機能ブロックの一部又は全部の機能が実現されるようにしてもよい。
【００２７】
送信部１１は、制御部４０の指示に従って、送信信号（駆動信号）を生成して、超音波プローブ２に出力する。図示を省略するが、送信部１１は、例えば、クロック発生回路、パルス発生回路、パルス幅設定部及び遅延回路を有する。
【００２８】
クロック発生回路は、パルス信号の送信タイミングや送信周波数を決定するクロック信号を発生させる。パルス発生回路は、所定の周期で予め設定された電圧振幅のバイポーラー型の矩形波パルスを発生させる。パルス幅設定部は、パルス発生回路から出力される矩形波パルスのパルス幅を設定する。パルス発生回路で生成された矩形波パルスは、パルス幅設定部への入力前又は入力後に、超音波プローブ２の個々の振動子ごとに異なる配線経路に分離される。遅延回路は、生成された矩形波パルスを、振動子ごとの送信タイミングに応じて遅延させ、超音波プローブ２に出力する。
【００２９】
受信部１２は、制御部４０の指示に従って、超音波プローブ２からの受信信号を受信し、Ｂモード信号処理部１７へ出力する。図示を省略するが、受信部１２は、例えば、増幅器、Ａ／Ｄ変換回路、整相加算回路を有する。
【００３０】
増幅器は、超音波プローブ２の各振動子により受信された超音波に応じた受信信号を予め設定された所定の増幅率でそれぞれ増幅する。Ａ／Ｄ変換回路は、増幅された受信信号を所定のサンプリング周波数でデジタルデータに変換する。整相加算回路は、Ａ／Ｄ変換された受信信号に対して、振動子に対応した配線経路毎に遅延時間を与えて時相を整え、これらを加算（整相加算）する。
【００３１】
ＲＯＩ設定部１３は、制御部４０の指示に従って、Ｂモード画像における関心領域（ＲＯＩ）を設定する。関心領域とは、超音波プローブ２によって取得されたＢモード画像における診断対象の領域であり、診断対象部位（例えば、血流部）を含むように設定される。ＲＯＩ設定部１３は、例えば、操作入力部１６の操作によりＢモード画像上で設定された領域を、関心領域として設定する。関心領域は、Ｂモード画像上にＲＯＩ枠で表示される。パノラマ生成処理の場合、関心領域は、パノラマ画像を生成するための対象領域を示す対象として用いられる。
【００３２】
表示処理部１４は、制御部４０の指示に従って、Ｂモード信号処理部１７及びパノラマ画像生成部２０からの画像データを、表示部１５に対応する表示信号に変換して出力し、表示部１５にＢモード画像又はパノラマ画像を表示させる。例えば、表示処理部１４は、Ｂモード選択時には、Ｂモード信号処理部１７からのＢモード画像データを表示信号に変換して表示部１５に出力する。また、表示処理部１４は、パノラマモード選択時には、パノラマ画像生成部２０からのパノラマ画像データを表示信号に変換して表示部１５に出力する。また、表示処理部１４は、ＲＯＩ設定部１３による関心領域の設定に応じて、Ｂモード画像又はパノラマ画像にＲＯＩ枠を重畳する。
【００３３】
さらに、表示処理部１４は、Ｂモード画像やパノラマ画像とともに、画像診断に必要な情報を示すオブジェクトを表示部１５に表示させる。各オブジェクトの表示属性の初期値は、例えば、表示処理部１４に記憶されている。また、パノラマモードにおいて、表示処理部１４は、表示属性設定部３０からの属性情報に基づいて、特定のオブジェクトの表示属性を制御する。
【００３４】
ここで、画像診断に必要な情報とは、診断情報、画像パラメーター、表示部１５が操作入力部１６として機能する場合のユーザーインターフェース、及び関心領域などを含む。また、オブジェクトは、図形、文字列、操作ボタン、ＲＯＩ枠などを含む。また、オブジェクトの表示属性は、オブジェクトの表示色、表示太さ、表示状況(点灯、点滅、表示明度や表示色の変化等)及び線種(点線、破線、二重線等)の少なくとも一つを含む。
【００３５】
表示部１５は、例えば、液晶ディスプレイ、有機ＥＬディスプレイ、ＣＲＴディスプレイ等で構成される。表示部１５は、制御部４０の指示に従って、表示処理部１４からの表示信号に基づいて画像を表示する。表示部１５には、超音波画像１２０及び画像診断に必要な情報を示すオブジェクト１１１〜１１４が表示される（図４参照）。
【００３６】
操作入力部１６は、例えば、診断に関する情報の入力を受け付ける。操作入力部１６は、例えば、複数の入力スイッチを有する操作パネル、キーボード、及びマウス等を有する。なお、操作入力部１６は、表示部１５と一体的に設けられるタッチパネルで構成されてもよい。ユーザーは、操作入力部１６を介して、関心領域、診断部位、超音波プローブ２の種類、及び診断モード（Ｂモード又はパノラマモード）などを設定することができる。
【００３７】
Ｂモード信号処理部１７は、制御部４０の指示に従って、受信部１２からの受信データに、包絡線検波処理、対数圧縮処理等を施して、ダイナミックレンジやゲインの調整を行って輝度変換することで、Ｂモード画像を生成する。生成されたＢモード画像のデータは、表示処理部１４及びパノラマ画像生成部２０に出力される。なお、Ｂモード信号処理部１７は、超音波プローブ２の種類に応じた座標変換及び画素補間を行うＤＳＣ（Digital Scan Converter）を含む。
【００３８】
パノラマ画像生成部２０は、Ｂモード信号処理部１７からのＢモード画像に基づいて、パノラマ画像を生成する。具体的には、パノラマ画像生成部２０は、Ｂモード画像上の関心領域をつなぎ合わせてパノラマ画像を生成する。本実施の形態では、パノラマ画像生成部２０は、相関演算部２１及び画像合成部２２を有している。以下において、Ｂモード画像のうち、パノラマ画像の生成に使用される関心領域の部分を、「ＲＯＩ画像」と称する。
【００３９】
相関演算部２１は、合成対象となる２つの画像間の相関を示す相関情報を演算する。合成対象となる２つの画像とは、例えば、診断開始からある時点までに取得されたＲＯＩ画像をつなぎ合わせて生成されたパノラマ画像（以下、「中間パノラマ画像」と称する）と、中間パノラマ画像にこれらから合成される、新たに取得されたＲＯＩ画像である。相関情報は、例えば、中間パノラマ画像と新たなＲＯＩ画像において抽出された同一内容の特徴点間の距離ベクトルで表される。演算された相関情報は、表示属性設定部３０に出力される。なお、同一内容の特徴点の抽出は、中間パノラマ画像と新たなＲＯＩ画像との間で同一内容とみなされる特徴点を抽出することにより行われる。そして、同一内容の特徴点であるとして抽出された二つのデータは、同一観測点に関する情報であると判断される。
【００４０】
なお、相関情報は、後述する速度演算部３１においてプローブ移動速度を演算する際にも用いられる。すなわち、相関情報は、プローブ移動速度に関する情報ともいえる。本実施の形態では、相関演算部２１が「取得部」として機能し、超音波プローブ２の移動速度に関する情報を取得している。
【００４１】
画像合成部２２は、抽出された同一内容の特徴点が一致するように、つまり、抽出された同一内容の２つの特徴点が同じ観測点となるように、中間パノラマ画像と、新たなＲＯＩ画像を合成する。合成においては、必要に応じてＲＯＩ画像に対して各種変形処理を施し合成する場合もある。新たに生成された中間パノラマ画像のデータは、表示処理部１４に出力される。なお、パノラマ画像の生成方法については、公知技術を適用できる。
【００４２】
表示属性設定部３０は、パノラマ画像を生成する際の超音波プローブ２の移動速度（以下、「プローブ移動速度」と称する）に応じて、オブジェクト１１１〜１１４の少なくとも一つ（例えば、ＲＯＩ枠１１４、以下、「特定オブジェクト」と称する）の表示属性を変更する。本実施の形態では、表示属性設定部３０は、速度演算部３１及び属性決定部３２を有している。
【００４３】
速度演算部３１は、パノラマ画像生成部２０（相関演算部２１）からの相関情報に基づいて、プローブ移動速度を演算する。具体的には、相関情報に含まれる距離ベクトルから超音波プローブ２の移動距離が求まり、パノラマモードにおけるフレームレートから超音波プローブ２の移動時間が求まるので、移動距離／移動時間よりプローブ移動速度が算出される。また、超音波プローブ２の回転も考慮し、特徴点を中心とした画像上の任意点（例えば、ＲＯＩの頂点など）の移動距離も算出し、相関情報から算出される超音波プローブ２の移動距離と合成した結果と、移動時間からプローブ移動速度を算出してもよい。
【００４４】
属性決定部３２は、算出されたプローブ移動速度に基づいて、特定オブジェクトの表示属性を決定する。属性決定部３２は、例えば、最適速度に対するプローブ移動速度の大小（プローブ移動速度が最適速度よりも速い／遅い）に基づいて、特定オブジェクトの表示属性を決定する。好ましくは、属性決定部３２は、プローブ移動速度と最適速度の乖離幅に基づいて、特定オブジェクトの表示属性を決定する。本実施の形態では、属性決定部３２は、プローブ移動速度に応じて、表示色及び表示太さが段階的に設定された属性テーブルＴ（図５参照）を参照して、特定オブジェクトの表示属性を決定する。決定された表示属性は、特定オブジェクトの属性情報として表示処理部１４に出力される。
【００４５】
図４は、表示部１５に表示される画面の一例を示す図である。
図４に示すように、表示部１５の画面は、略中央に配置される第１画面領域１０１と、第１画面領域外の第２画面領域１０２に区画される。第１画面領域１０１には、超音波画像（Ｂモード画像又はパノラマ画像）１２０が表示される。第２画面領域１０２には、画像診断に必要な情報を示すオブジェクト１１１〜１１４が表示される。
【００４６】
第２画面領域１０２の上部に表示されているオブジェクト１１１は、患者情報、現在日時、アノテーション（注釈）、ボディマーク（診断部位）等を含む診断情報である。第２画面領域１０２において、第１画面領域１０１の両側に表示されているオブジェクト１１２は、超音波のフォーカス、深度、強度、プローブ種類等の画像パラメーターである。第２画面領域１０２の左部及び下部に表示されているオブジェクト１１３は、画像パラメーターの設定等の各種操作を行うユーザーインターフェースである。超音波画像１２０に重畳されている矩形状のオブジェクト１１４は、ＲＯＩ枠である（以下、「ＲＯＩ枠１１４」と称する）。
本実施の形態では、オブジェクト１１１〜１１４のうち、ＲＯＩ枠１１４が特定オブジェクトとして使用され、プローブ移動速度に応じた表示属性で表示される。
【００４７】
図５は、プローブ移動速度に対応する特定オブジェクトの表示属性を示す属性テーブルである。図５には、特定オブジェクトがＲＯＩ枠１１４である場合について示している。なお、図５では、プローブ移動速度Ｖを、正規化した数値で表している。
【００４８】
図５に示す属性テーブルＴによると、プローブ移動速度Ｖが３＜Ｖ≦４である場合が、パノラマ画像の生成に適した最適速度である。この場合、ＲＯＩ枠１１４は、白色の標準太さで表示される。
プローブ移動速度Ｖが最適速度よりも遅い場合（Ｖ≦３）は、ＲＯＩ枠１１４の太さが、標準太さよりも太く設定されるとともに、プローブ移動速度Ｖの最適速度からの乖離幅に応じて、ＲＯＩ枠１１４の表示色が、白から黄色、青色、赤色と変化するようになっている。
また、プローブ移動速度Ｖが最適速度よりも早い場合（４＜Ｖ）は、ＲＯＩ枠１１４の太さが、標準太さよりも細く設定されるとともに、プローブ移動速度Ｖの最適速度からの乖離幅に応じて、ＲＯＩ枠１１４の表示色が、白から黄色、青色、赤色と変化するようになっている。
すなわち、超音波プローブ２の移動速度が最適速度でない場合には、ＲＯＩ枠１１４の表示属性が変更される。
【００４９】
図６は、超音波診断処理の一例を示すフローチャートである。この処理は、例えば、超音波診断装置Ａにおいて、パノラマモードが選択されることに伴い、ＣＰＵ４１がＲＯＭ４３に格納されている所定のプログラムを実行することにより実現される。パノラマモードの選択は、例えば、操作入力部１６における診断モードの選択によって行われる。
【００５０】
図６のステップＳ１において、制御部４０は、送信部１１、受信部１２及びＢモード信号処理部１７を制御して、超音波プローブ２を介して超音波の送受信を行い、Ｂモード画像を取得する。生成されたＢモード画像のデータは、パノラマ画像生成部２０に出力される。
【００５１】
ステップＳ２において、制御部４０は、パノラマ画像生成部２０（相関演算部２１）を制御して、新たに取得したＲＯＩ画像と中間パノラマ画像を比較することにより、相関情報を演算する。ＲＯＩ画像は、ステップＳ１で取得したＢモード画像から切り出される。演算された相関情報（距離ベクトル）は、表示属性設定部３０に出力される。
【００５２】
ステップＳ３において、制御部４０は、パノラマ画像生成部２０（画像合成部２２）及び表示処理部１４を制御して、新たに取得したＲＯＩ画像と中間パノラマ画像を合成し、表示する。表示部１５には、その時点までに生成されたパノラマ画像が表示される（図７Ｂ、図７Ｃ参照）。
【００５３】
ステップＳ４において、制御部４０は、表示属性設定部３０（速度演算部３１）を制御して、プローブ移動速度を算出する。
【００５４】
ステップＳ５において、制御部４０は、表示属性設定部３０（属性決定部３２）及び表示処理部１４を制御して、プローブ移動速度に応じて、ＲＯＩ枠１１４の表示属性を変更する（図７Ｂ、図７Ｃ参照）。ユーザーは、ＲＯＩ枠１１４の表示属性（表示色及び表示太さ）により、現在のプローブ移動速度の適否を直感的に知得することができる。そして、ＲＯＩ枠１１４の表示属性が最適速度を示すように、超音波プローブ２が移動されることにより、高精度のパノラマ画像を効率よく生成することができる。
【００５５】
ステップＳ６において、制御部４０は、パノラマモードの終了操作が入力されたか否かを判定する。パノラマモードの終了操作が入力された場合（ステップＳ６で“ＹＥＳ”）、処理を終了する。パノラマモードの終了操作が入力されていない場合（ステップＳ６で“ＮＯ”）、ステップＳ１の処理に移行する。ステップＳ１〜Ｓ６の処理が繰り返されることにより、パノラマ画像が順次拡張され、最終的に広範囲にわたるパノラマ画像が生成される。
【００５６】
なお、最初に取得されたＢモード画像については、ステップＳ２〜Ｓ５の処理は行われず、単にＲＯＩ枠１１４内にパノラマ画像（ＲＯＩ画像１２１）が表示される（図７Ａ参照）。また、ステップＳ５において、属性決定部３２によって決定されたＲＯＩ枠１１４の表示属性が、初期値（表示色：白、表示太さ：標準）と同じである場合、ＲＯＩ枠１１４の表示属性は変更されない。
【００５７】
図７Ａ〜図７Ｃは、パノラマ画像の生成過程の一例を示す図である。図７Ａ〜図７Ｃにおいて、ＲＯＩ枠１１４内に表示されている画像１２１が、最新のＲＯＩ画像である。
【００５８】
図７Ａは、最初のＢモード画像が取得された状態を示している。図７Ａに示す状態では、プローブ移動速度の判定は行われないので、ＲＯＩ枠１１４は初期の表示属性（白色、標準太さ）に従って表示される。
【００５９】
図７Ｂ、図７Ｃは、超音波プローブ２を左側に移動させた場合について示している。また、図７Ｂは、パノラマ画像生成中に、プローブ移動速度が最適速度よりも速くなった場合について示している。図７Ｃは、パノラマ画像生成中に、プローブ移動速度が最適速度よりも遅くなった場合について示している。図７Ｂ、図７Ｃでは、一回前の超音波の送受信により取得されたＲＯＩ画像の領域を点線で示している。
【００６０】
図７Ｂ、図７Ｃに示すように、超音波プローブ２を左側に移動させると、移動に伴って、先に取得したＲＯＩ画像（図７Ｂ、図７Ｃの点線で囲まれた領域）の左側のＲＯＩ画像が取得され、順次パノラマ画像が生成され、表示される。図７Ｂ、図７Ｃでは、ＲＯＩ枠１１４が固定されているので、パノラマ画像が右側に伸びていく。なお、パノラマ画像が第１画面領域１０１の右端に到達すると、ＲＯＩ枠１１４が左側に移動しながら、パノラマ画像が左側に伸びていく。
【００６１】
図７Ｂに示すように、前回との差分Δが最適速度のときの差分Δ０より大きく、プローブ移動速度が最適速度よりも速い場合、ＲＯＩ枠１１４が標準太さよりも細く表示される。また、図７Ｂでは表れていないが、ＲＯＩ枠１１４は、プローブ移動速度と最適速度との乖離幅に応じた表示色で表示される。例えば、図５に示す属性テーブルＴに従うと、プローブ移動速度Ｖが６＜Ｖである場合は、ＲＯＩ枠１１４は、赤色の細線で表示されることになる。
【００６２】
一方、図７Ｃに示すように、前回との差分Δが最適速度のときの差分Δ０より小さく、プローブ移動速度が最適速度よりも遅い場合、ＲＯＩ枠１１４が標準太さよりも太く表示される。また、図７Ｃでは表れていないが、ＲＯＩ枠１１４は、プローブ移動速度と最適速度との乖離幅に応じた表示色で表示される。例えば、図５に示す属性テーブルＴに従うと、プローブ移動速度Ｖが１＜Ｖ≦２である場合は、ＲＯＩ枠１１４は、青色の太線で表示されることになる。
【００６３】
このように、実施の形態に係る超音波診断装置Ａは、被検体に向けて超音波を送信するように超音波プローブ２を駆動するとともに、被検体内で反射された反射波に基づく受信信号を超音波プローブ２から受信して、超音波画像を生成し、表示する。超音波診断装置Ａは、超音波プローブ２によって得られた受信信号からＢモード画像（超音波画像）を生成するＢモード信号処理部１７（超音波画像生成部）と、超音波プローブ２を移動させながら連続的に取得された複数のＢモード画像をつなぎ合わせてパノラマ画像を生成するパノラマ画像生成部２０と、Ｂモード画像又はパノラマ画像とともに、画像診断に必要な情報を示すオブジェクト１１１〜１１４を表示部１５に表示させる表示処理部１４と、超音波プローブ２の移動速度に関する情報を取得する相関演算部２１（取得部）と、超音波プローブ２の移動速度に関する情報に応じて、特定オブジェクト（オブジェクト１１１〜１１４のうちの少なくとも一つ、例えば、ＲＯＩ枠１１４）の表示属性を変更する表示属性設定部３０と、を備える。
【００６４】
また、本実施の形態に係る超音波診断方法は、被検体に向けて超音波を送信するように超音波プローブ２を駆動するとともに、被検体内で反射された反射波に基づく受信信号を超音波プローブ２から受信して、超音波画像を生成し、表示する方法であって、超音波プローブ２によって得られた受信信号からＢモード画像（超音波画像）を生成する工程（図６のステップＳ１）と、超音波プローブ２を移動させながら連続的に取得された複数のＢモード画像をつなぎ合わせてパノラマ画像を生成する工程（図６のステップＳ２、Ｓ３）と、Ｂモード画像又はパノラマ画像とともに、画像診断に必要な情報を示すオブジェクト１１１〜１１４を表示部１５に表示させる工程（図６のステップＳ４、Ｓ５）と、超音波プローブ２の移動速度に関する情報を取得する工程（図６のステップＳ２）と、超音波プローブ２の移動速度に関する情報に応じて、特定オブジェクト（オブジェクト１１１〜１１４のうちの少なくとも一つ、例えば、ＲＯＩ枠１１４）の表示属性を変更する工程（図６のステップＳ４、Ｓ５）と、を含む。
【００６５】
また、本実施の形態に係るプログラムは、被検体に向けて超音波を送信するように超音波プローブ２を駆動するとともに、被検体内で反射された反射波に基づく受信信号を超音波プローブ２から受信して、超音波画像を生成し、表示する超音波診断装置Ａの制御部４０（コンピューター）に、超音波プローブ２によって得られた受信信号からＢモード画像（超音波画像）を生成する処理（図６のステップＳ１）と、超音波プローブ２を移動させながら連続的に取得された複数のＢモード画像をつなぎ合わせてパノラマ画像を生成する処理（図６のステップＳ２、Ｓ３）と、Ｂモード画像又はパノラマ画像とともに、画像診断に必要な情報を示すオブジェクト１１１〜１１４を表示部１５に表示させる処理（図６のステップＳ４、Ｓ５）と、超音波プローブ２の移動速度に関する情報を取得する処理（図６のステップＳ２）と、超音波プローブ２の移動速度に関する情報に応じて、特定オブジェクト（オブジェクト１１１〜１１４のうちの少なくとも一つ、例えば、ＲＯＩ枠１１４）の表示属性を変更する処理（図６のステップＳ４、Ｓ５）と、を実行させる。
このプログラムは、例えば、当該プログラムが格納されたコンピューター読取可能な可搬型記憶媒体（光ディスク、光磁気ディスク、及びメモリカードを含む）を介して提供される。また例えば、このプログラムは、当該プログラムを保有するサーバーから、ネットワークを介してダウンロードにより提供することもできる。
【００６６】
実施の形態に係る超音波診断装置Ａ、超音波診断方法及びプログラムによれば、ユーザーに対してプローブ移動速度を直感的に知得させることができるので、パノラマ画像を生成する際の超音波プローブ２の移動操作を支援することができる。ユーザーは、プローブ移動速度が最適速度となるように超音波プローブ２を移動させればよい。また、オブジェクト１１１〜１１４は、画像診断に必要な情報を示す基本的な表示要素であるので、プローブ移動速度を示唆する支援情報を表示するために、新たに表示要素を増やす必要もなく、生成中のパノラマ画像の視認性が阻害されることもない。
【００６７】
また、超音波診断装置Ａにおいて、表示属性設定部３０は、所定の最適速度に対する超音波プローブ２の移動速度の大小に基づいて、オブジェクト１１１〜１１４の少なくとも一つ（特定オブジェクト）の表示属性を変更する。
これにより、プローブ移動速度が最適速度よりも速すぎる場合と、遅すぎる場合の両方に対応することができる。したがって、高精度のパノラマ画像を効率よく生成することができる。
【００６８】
また、超音波診断装置Ａにおいて、表示属性設定部３０は、超音波プローブ２の移動速度と最適速度の乖離幅に基づいて、特定オブジェクト（例えば、ＲＯＩ枠１１４）の表示属性を変更する。
これにより、ユーザーに対してプローブ移動速度が最適速度からどれくらい乖離しているかも知得させることができるので、ユーザーは容易にプローブ移動速度を調整することができる。
【００６９】
また、超音波診断装置Ａにおいて、特定オブジェクト（ＲＯＩ枠１１４）の表示属性は、表示色、表示太さ、表示状況(点灯、点滅、表示明度や表示色の変化等)及び線種(点線、破線、二重線等)の少なくとも一つを含む。
これにより、ユーザーは、プローブ移動速度の適否を、視覚的に容易に知得することができる。
【００７０】
また、超音波診断装置Ａにおいて、表示属性設定部３０は、超音波プローブ２の移動速度に応じて、表示色及び表示太さの少なくとも一方が段階的に設定された属性テーブルＴを参照して、特定オブジェクト（例えば、ＲＯＩ枠１１４）の表示属性を変更する。
これにより、特定オブジェクトの表示属性を変更する際の制御部４０の負荷が軽減されるので、特定オブジェクトの表示にプローブ移動速度を迅速に反映させることができる。
【００７１】
また、超音波診断装置Ａにおいて、特定オブジェクトは、パノラマ画像を生成する際の対象領域を示すＲＯＩ枠１１４であることが好ましい。
これにより、ユーザーは、生成中のパノラマ画像を確認しながら、視点をずらすことなく容易にプローブ移動速度を知得することができるため、適正な画像を取得することができる。
【００７２】
また、超音波診断装置Ａにおいて、表示属性設定部３０は、合成対象となる２つの画像間の相関に基づいて、特定オブジェクト（例えば、ＲＯＩ枠１１４）の表示属性を変更する。
これにより、超音波プローブ２に速度センサー等を設けることなく、特定オブジェクトの表示属性にプローブ移動速度を反映させることができる。
【００７３】
以上、本発明者によってなされた発明を実施の形態に基づいて具体的に説明したが、本発明は上記実施の形態に限定されるものではなく、その要旨を逸脱しない範囲で変更可能である。
【００７４】
例えば、実施の形態では、プローブ移動速度が最適速度よりも速い場合及び遅い場合に、特定オブジェクト（例えば、ＲＯＩ枠１１４）の表示属性を変更しているが、プローブ移動速度が最適速度よりも速い場合にのみ特定オブジェクトの表示属性を変更してもよいし、遅い場合にのみ特定オブジェクトの表示属性を変更してもよい。
【００７５】
また例えば、実施の形態では、プローブ移動速度と最適速度の乖離幅に基づいて、特定オブジェクト（例えば、ＲＯＩ枠１１４）の表示属性を変更しているが、特定オブジェクトの表示属性に乖離幅を反映させなくてもよい。すなわち、特定オブジェクトの表示属性によって、プローブ移動速度が最適速度よりも速いか、又は遅いかのみを示唆するようにしてもよい。この場合、最適速度に対するプローブ移動速度の大小を、特定オブジェクトの表示太さではなく、表示色によって示唆してもよい。
【００７６】
また、実施の形態では、特定オブジェクト（例えば、ＲＯＩ枠１１４）の表示色及び表示太さによってプローブ移動速度を示唆しているが、何れか一方で対応してもよい。例えば、表示色の輝度を段階的に変化させたり、表示太さを段階的に変化させることにより、最適速度に対するプローブ移動速度の大小だけでなく、最適速度からの乖離幅も示唆することができる。また、その他の表示属性（例えば、表示状況(点灯、点滅、表示明度や表示色の変化等)及び線種(点線、破線、二重線等）によってプローブ移動速度を示唆してもよい。
【００７７】
また、実施の形態では、属性テーブルＴを参照して、特定オブジェクト（ＲＯＩ枠１１４）の表示属性を変更しているが、プローブ移動速度に応じて、表示色の輝度や表示太さを演算して、特定オブジェクトの表示属性を連続的に変化させてもよい。
【００７８】
また、実施の形態では、ＲＯＩ枠１１４を特定オブジェクトとして使用して、ＲＯＩ枠１１４の表示属性によってプローブ移動速度を示唆しているが、その他のオブジェクト１１１〜１１３を特定オブジェクトとして使用してもよい。
【００７９】
また、実施の形態では、属性テーブルＴにおいて、相関情報から求まるプローブ移動速度と特定オブジェクト（例えば、ＲＯＩ枠１１４）の表示属性を対応付けているが、相関情報と表示属性を対応付けてもよい。すなわち、特定オブジェクトの表示属性を決定する上で、プローブ移動速度を演算しなくてもよい。
【００８０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８１】
Ａ  超音波診断装置
１  超音波診断装置本体
２  超音波プローブ
１１  送信部
１２  受信部
１３  ＲＯＩ設定部
１４  表示処理部
１５  表示部
１６  操作入力部
１７  Ｂモード信号処理部
２０  パノラマ画像生成部
２１  相関演算部
２２  画像合成部
３０  表示属性設定部
３１  速度演算部
３２  属性決定部
４０  制御部
【図１】
2019217018.tif 000003
【図２】
2019217018.tif 000004
【図３】
2019217018.tif 000005
【図４】
2019217018.tif 000006
【図５】
2019217018.tif 000007
【図６】
2019217018.tif 000008
【図７】
2019217018.tif 000009